(57)【要約】【課題】携帯端末４と車載端末３１とのそれぞれによって経路誘導が行われる場合に、ユーザによる各端末の操作を簡略化して、ユーザの利便性を向上させる。【解決手段】サーバ２１を、ユーザによる車載端末３１の操作によって該車載端末３１から送信された記憶地点（操作時における車載端末３１の現在地）の位置情報を受信しかつ、これを記憶する記憶手段６１と、降車検出手段６２によってユーザが車３から降車したことを検出したときに、記憶地点の位置情報、又はその降車地点から記憶地点までの経路情報を、携帯端末４に送信する情報送信手段６３とを備えるものとする。【選択図】　　　　　　図１
2004020304.tif 000002
【特許請求の範囲】
【請求項１】
ユーザが携帯する携帯端末、及び該ユーザに係る車に搭載された車載端末のそれぞれに対し双方向通信可能な通信回線を介して接続された情報処理装置であって、
上記ユーザによる車載端末の操作によって該車載端末から上記通信回線を介して送信された、上記操作時における車載端末の現在地である記憶地点の位置情報を受信しかつ、これを記憶する記憶手段と、
上記ユーザが車から降車したことを検出する降車検出手段と、
上記降車検出手段が上記ユーザが車から降車したことを検出したときには、上記記憶手段によって記憶されている記憶地点の位置情報、又は上記ユーザが車から降車した降車地点から上記記憶地点までの経路情報を、上記携帯端末に上記通信回線を介して送信する情報送信手段とを備えている
ことを特徴とする情報処理装置。
【請求項２】
ユーザが携帯する携帯端末、及び該ユーザに係る車に搭載された車載端末のそれぞれに対し双方向通信可能な通信回線を介して接続された情報処理装置であって、
上記ユーザによる携帯端末の操作によって該携帯端末から上記通信回線を介して送信された、上記操作時における携帯端末の現在地である記憶地点の位置情報を受信しかつ、これを記憶する記憶手段と、
上記ユーザが車に乗車したことを検出する乗車検出手段と、
上記乗車検出手段が上記ユーザが車に乗車したことを検出したときには、上記記憶手段によって記憶されている記憶地点の位置情報、又は上記ユーザが車に乗車した乗車地点から上記記憶地点までの経路情報を、上記車載端末に上記通信回線を介して送信する情報送信手段とを備えている
ことを特徴とする情報処理装置。
【請求項３】
ユーザが携帯する携帯端末、及び該ユーザに係る車に搭載された車載端末のそれぞれに対し双方向通信可能な通信回線を介して接続された情報処理装置を制御するための情報処理プログラムであって、
上記情報処理装置に、
上記ユーザによる車載端末の操作によって該車載端末から上記通信回線を介して送信された、上記操作時における車載端末の現在地である記憶地点の位置情報を受信しかつ、これを記憶する記憶処理と、
上記ユーザが車から降車したことを検出したときに、上記記憶処理によって記憶されている記憶地点の位置情報、又は上記ユーザが車から降車した降車地点から上記記憶地点までの経路情報を、上記携帯端末に上記通信回線を介して送信する情報送信処理とを実行させる
ことを特徴とする情報処理プログラム。
【請求項４】
ユーザが携帯する携帯端末、及び該ユーザに係る車に搭載された車載端末のそれぞれに対し双方向通信可能な通信回線を介して接続された情報処理装置を制御するための情報処理プログラムであって、
上記情報処理装置に、
上記ユーザによる携帯端末の操作によって該携帯端末から上記通信回線を介して送信された、上記操作時における携帯端末の現在地である記憶地点の位置情報を受信しかつ、これを記憶する記憶処理と、
上記ユーザが車に乗車したことを検出したときに、上記記憶処理によって記憶されている記憶地点の位置情報、又は上記ユーザが車に乗車した乗車地点から該記憶地点までの経路情報を、上記車載端末に上記通信回線を介して送信する情報送信処理とを実行させる
ことを特徴とする情報処理プログラム。
【請求項５】
ユーザが携帯する携帯端末と、該ユーザに係る車に搭載された車載端末と、該携帯端末及び車載端末のそれぞれに対し双方向通信可能に接続された情報処理装置とを用いた情報処理方法であって、
上記ユーザによる車載端末の操作によって、該車載端末が、該操作時における車載端末の現在地である記憶地点の位置情報を上記情報処理装置に送信する第１送信ステップと、
上記第１送信ステップにおいて送信された記憶地点の位置情報を受信した情報処理装置が、該位置情報を記憶する記憶ステップと、
上記情報処理装置が、上記ユーザが車から降車したことを検出したときに、上記記憶ステップにおいて記憶した記憶地点の位置情報、又は上記ユーザが車から降車した降車地点から上記記憶地点までの経路情報を上記携帯端末に送信する第２送信ステップと、
上記第２送信ステップにおいて送信された情報を受信した携帯端末が、該受信した情報に基づいて、上記降車地点から記憶地点までの経路誘導を行う経路誘導ステップとを有する
ことを特徴とする情報処理方法。
【請求項６】
請求項５において、
車載端末が、車の経路誘導を行う第２の経路誘導ステップを有し、
上記第２の経路誘導ステップは、第１送信ステップにおいて位置情報を送信する記憶地点としての目的施設を経由して、上記ユーザが車から降車する降車地点としての駐車場に至るまでの経路誘導を行うステップである
ことを特徴とする情報処理方法。
【請求項７】
請求項５において、
第１送信ステップにおいて車載端末が記憶地点の位置情報を送信した後に、上記車載端末が、上記記憶地点周辺の駐車場に関する情報をユーザに提示する、又は上記記憶地点から所定の駐車場までの経路誘導を行うステップを有する
ことを特徴とする情報処理方法。
【請求項８】
請求項５において、
第１送信ステップにおいて車載端末が記憶地点の位置情報を送信した後に、上記車載端末が、車と上記記憶地点との離間距離を、該車の移動に伴いユーザに報知するステップを有する
ことを特徴とする情報処理方法。
【請求項９】
ユーザが携帯する携帯端末と、該ユーザに係る車に搭載された車載端末と、該携帯端末及び車載端末のそれぞれに対し双方向通信可能に接続された情報処理装置とを用いた情報処理方法であって、
上記ユーザによる携帯端末の操作によって、該携帯端末が、該操作時における車載端末の現在地である記憶地点の位置情報を上記情報処理装置に送信する第１送信ステップと、
上記第１送信ステップにおいて送信された記憶地点の位置情報を受信した情報処理装置が、該位置情報を記憶する記憶ステップと、
上記情報処理装置が、上記ユーザが車に乗車したことを検出したときに、上記記憶ステップにおいて記憶した記憶地点の位置情報、又は上記ユーザが車に乗車した乗車地点から上記記憶地点までの経路情報を上記車載端末に送信する第２送信ステップと、
上記第２送信ステップにおいて送信された情報を受信した車載端末が、該受信した情報に基づいて、上記乗車地点から記憶地点までの経路誘導を行う経路誘導ステップとを有する
ことを特徴とする情報処理方法。
【請求項１０】
請求項９において、
第１送信ステップにおいて携帯端末が記憶地点の位置情報を送信した後に、上記携帯端末が、上記記憶地点周辺の駐車場に関する情報をユーザに提示する、又は上記記憶地点から所定の駐車場までの経路誘導を行うステップを有する
ことを特徴とする情報処理方法。
【請求項１１】
ユーザに係る車に搭載されかつ、該ユーザが携帯する携帯端末に通信回線を介して接続された車載端末であって、
上記ユーザによる操作によって、該操作時における現在地を記憶地点として、その位置情報を記憶する記憶手段と、
上記ユーザが車から降車したことを検出する降車検出手段と、
上記降車検出手段が上記ユーザが車から降車したことを検出したときには、上記記憶手段によって記憶されている記憶地点の位置情報、又は上記ユーザが車から降車した降車地点から上記記憶地点までの経路情報を、上記携帯端末に上記通信回線を介して送信する情報送信手段とを備えている
ことを特徴とする車載端末。
【請求項１２】
ユーザに係る車に搭載された車載端末に通信回線を介して接続された、上記ユーザが携帯する携帯端末であって、
上記ユーザによる操作によって、該操作時における現在地を記憶地点として、その位置情報を記憶する記憶手段と、
上記ユーザが車に乗車したことを検出する乗車検出手段と、
上記乗車検出手段が上記ユーザが車に乗車したことを検出したときには、上記記憶手段によって記憶されている記憶地点の位置情報、又は上記ユーザが車に乗車した乗車地点から上記記憶地点までの経路情報を、上記車載端末に上記通信回線を介して送信する情報送信手段とを備えている
ことを特徴とする携帯端末。
【発明の詳細な説明】
【０００１】
【発明の属する技術分野】
本発明は、ユーザが携帯する携帯端末及び該ユーザに係る車に搭載された車載端末のそれぞれに対し双方向通信可能な通信回線を介して接続された情報処理装置、該情報処理装置を制御するための情報処理プログラム、車載端末、携帯端末及び情報処理装置を用いた情報処理方法、並びに、上記車載端末及び携帯端末に関する。
【０００２】
【従来の技術】
従来より、例えば特開平１１−１４３３５８号公報には、通信回線を介して互いに接続された、ユーザ端末、車載端末、及び情報センタから構成されたシステムが開示されている。このものでは、ユーザ端末から送信された情報を受信した情報センタが、その情報を車載端末に転送することにより、この車載端末が、受信した情報に基づいて経路誘導を行うように構成されている。
【０００３】
【発明が解決しようとする課題】
ところで、上記従来のシステムにおけるユーザ端末をユーザが携帯可能な携帯端末にして、ユーザが車に乗車しているときには、車載端末によって経路誘導が行われ、ユーザが車から降車したときには、上記携帯端末によって経路誘導が行われるように構成することが考えられる。
【０００４】
また、特開平７−５７１８８号公報には、経路設定に際し、目的地周辺の駐車場の検索を行うことで、その目的地に最も近い駐車場についての情報を提供する車載機が記載されており、特開２０００−３３７９１７号公報には、経路誘導によって目的地付近の駐車場に到達した後に、その駐車場から目的地までの経路情報を、携帯端末に提供する車載機が記載されている。これらの公報に記載されているように、目的地（例えば目的施設）と車を駐車する駐車場とが互いに離れている場合は多々ある。
【０００５】
そこで、例えば、目的の施設（目的施設）に車で到達したユーザが、その施設とは離れた駐車場に車を駐車するために移動をし、その後その駐車場から上記施設まで徒歩で戻る場合を、上記した携帯端末と車載端末と情報センタとで構成されたシステムに当てはめてみると、上記目的施設から駐車場までは車載端末により経路誘導が行われ、駐車場から目的施設までは携帯端末によって経路誘導が行われることとなる。しかしながらこの場合、ユーザは車載端末において駐車場を目的地に設定する操作を行う上に、車から降車した後に、携帯端末において改めて上記目的施設を目的地に設定する操作を行わなければならず、煩雑である。
【０００６】
またこれとは逆に、ある目的施設にいるユーザが、その目的施設とは離れた駐車場に車を取りに徒歩で移動をし、その後その駐車場から上記目的施設に車で戻る場合も考えられる。この場合を上記の携帯端末と車載端末と情報センタとで構成されたシステムに当てはめてみると、上記目的施設から駐車場までは携帯端末により経路誘導が行われ、駐車場から目的施設までは車載端末によって経路誘導が行われることとなる。しかしながらこの場合、ユーザは、携帯端末において上記駐車場を目的地に設定する操作を行う上に、車に乗車した後に、車載端末において改めて上記目的施設を目的地に設定する操作を行わなければならず、煩雑である。
【０００７】
本発明は、このような事情に鑑みてなされたものであり、その目的とするところは、携帯端末と車載端末とのそれぞれによって経路誘導が行われる場合に、ユーザによる各端末の操作を簡略化して、ユーザの利便性を向上させることにある。
【０００８】
【課題を解決するための手段】
上記目的を達成するために、第１の発明は、ユーザが携帯する携帯端末、及び該ユーザに係る車に搭載された車載端末のそれぞれに対し双方向通信可能な通信回線を介して接続された情報処理装置に係る。
【０００９】
そして、第１の発明に係る情報処理装置は、上記ユーザによる車載端末の操作によって該車載端末から上記通信回線を介して送信された、上記操作時における車載端末の現在地である記憶地点の位置情報を受信しかつ、これを記憶する記憶手段と、上記ユーザが車から降車したことを検出する降車検出手段と、上記降車検出手段が上記ユーザが車から降車したことを検出したときには、上記記憶手段によって記憶されている記憶地点の位置情報、又は上記ユーザが車から降車した降車地点から上記記憶地点までの経路情報を、上記携帯端末に上記通信回線を介して送信する情報送信手段とを備えるものとする。
【００１０】
この構成によると、車で移動中のユーザは、所定の地点（例えば目的施設）に到達した時に車載端末を操作する。このことによって、該車載端末から情報処理装置に、その時の車載端末の現在地である記憶地点の位置情報が上記通信回線を介して送信され、上記情報処理装置の記憶手段は、その記憶地点の位置情報を記憶する。
【００１１】
そして、上記ユーザが、上記目的施設から、例えば駐車場まで車で移動をして、その駐車場において車から降車したときには、そのことを降車検出手段が検出する。
【００１２】
ここで、ユーザが車から降車したことを検出する方法としては種々の方法が考えられる。例えば一例として、車のイグニッションスイッチのオン・オフに基づいて、イグニッションスイッチがオフになったときに、車載端末はユーザが車から降車したと判断して、その車載端末は情報処理装置に降車信号を送信するようにする。また、ユーザが車載端末において所定の降車操作を行ったときに、車載端末は情報処理装置に降車信号を送信するようにする。こうして、情報処理装置の降車検出手段は、車載端末からの降車信号を受信したことをもって、ユーザが車から降車したことを検出するようにしてもよい。
【００１３】
そして、上記降車検出手段が、ユーザが車から降車したことを検出したときには、情報送信手段は、上記記憶手段によって記憶されている記憶地点の位置情報、又は降車地点から記憶地点までの経路情報を、上記携帯端末に上記通信回線を介して送信する。
【００１４】
これにより、携帯端末は、記憶地点の位置情報を受信したときには、該位置情報に基づいて上記記憶地点までの経路を設定し、その設定した経路に基づいて経路誘導を行うことが可能になる。また、降車地点から記憶地点までの経路情報を受信したときには、該経路情報に基づいて経路誘導を行うことが可能になる。こうして上記ユーザは、携帯端末によって駐車場から目的施設まで経路誘導されて、徒歩で上記目的施設に戻ることができる。
【００１５】
このように、ユーザは、所定の地点（記憶地点）に到達した時に車載端末を操作することだけで、車から降車した後に携帯端末の操作を行わなくても、車から降車した降車地点から上記記憶地点まで上記携帯端末により経路誘導される。こうして操作が簡略化して、ユーザの利便性を向上させることができる。
【００１６】
第２の発明に係る情報処理装置は、ユーザによる携帯端末の操作によって該携帯端末から通信回線を介して送信された、上記操作時における携帯端末の現在地である記憶地点の位置情報を受信しかつ、これを記憶する記憶手段と、上記ユーザが車に乗車したことを検出する乗車検出手段と、上記乗車検出手段が上記ユーザが車に乗車したことを検出したときには、上記記憶手段によって記憶されている記憶地点の位置情報、又は上記ユーザが車に乗車した乗車地点から上記記憶地点までの経路情報を、上記車載端末に上記通信回線を介して送信する情報送信手段とを備えるものとする。
【００１７】
この構成によると、例えば駐車場に車を駐車しているユーザが、所定の地点（例えば目的施設）に到達した時に携帯端末を操作すると、該携帯端末から情報処理装置に、その時の携帯端末の現在地である記憶地点の位置情報が、上記通信回線を介して送信される。上記情報処理装置の記憶手段は、その記憶地点の位置情報を記憶する。
【００１８】
そして、上記ユーザが、上記目的施設から例えば駐車場まで徒歩で移動をし、その駐車場において車に乗車したときには、そのことを乗車検出手段が検出する。
【００１９】
ここで、ユーザが車に乗車したことを検出する方法としては種々の方法が考えられる。例えば一例として、イグニッションスイッチがオンされたときに、車載端末はユーザが車に乗車したと判断して、その車載端末は情報処理装置に乗車信号を送信するようにする。また、ユーザが車載端末において所定の乗車操作を行ったときに、車載端末は情報処理装置に乗車信号を送信するようにする。こうして、情報処理装置の乗車検出手段は、車載端末からの乗車信号を受信したことをもって、ユーザが車に乗車したことを検出するようにしてもよい。
【００２０】
そして、乗車検出手段が検出したときには、情報送信手段は、上記記憶手段によって記憶されている記憶地点の位置情報、又は乗車地点から記憶地点までの経路情報を、上記車載端末に上記通信回線を介して送信する。
【００２１】
これにより、位置情報又は経路情報を受信した車載端末は、その情報に基づいて記憶地点までの経路誘導を行うことが可能になる。こうして上記ユーザは、駐車場から目的施設まで経路誘導されて、車で上記目的施設に戻ることができる。
【００２２】
このように、ユーザは、所定の地点（記憶地点）に到達した時に携帯端末を操作することだけで、車に乗車した後に車載端末の操作を行わなくても、車に乗車した乗車地点から記憶地点まで上記車載端末により経路誘導される。こうして操作が簡略化して、ユーザの利便性を向上させることができる。
【００２３】
第３の発明は、ユーザが携帯する携帯端末、及び該ユーザに係る車に搭載された車載端末のそれぞれに対し双方向通信可能な通信回線を介して接続された情報処理装置を制御するための情報処理プログラムに係る。
【００２４】
そして、第３の発明に係る情報処理プログラムは、上記情報処理装置に、上記ユーザによる車載端末の操作によって該車載端末から上記通信回線を介して送信された、上記操作時における車載端末の現在地である記憶地点の位置情報を受信しかつ、これを記憶する記憶処理と、上記ユーザが車から降車したことを検出したときに、上記記憶処理によって記憶されている記憶地点の位置情報、又は上記ユーザが車から降車した降車地点から上記記憶地点までの経路情報を、上記携帯端末に上記通信回線を介して送信する情報送信処理とを実行させるものとする。
【００２５】
第４の発明に係る情報処理プログラムは、情報処理装置に、ユーザによる携帯端末の操作によって該携帯端末から通信回線を介して送信された、上記操作時における携帯端末の現在地である記憶地点の位置情報を受信しかつ、これを記憶する記憶処理と、上記ユーザが車に乗車したことを検出したときに、上記記憶処理によって記憶されている記憶地点の位置情報、又は上記ユーザが車に乗車した乗車地点から該記憶地点までの経路情報を、上記車載端末に上記通信回線を介して送信する情報送信処理とを実行させるものとする。
【００２６】
これら第３及び第４の発明によると、それぞれ第１及び第２の発明と同様の作用効果が得られる。
【００２７】
第５の発明は、ユーザが携帯する携帯端末と、該ユーザに係る車に搭載された車載端末と、該携帯端末及び車載端末のそれぞれに対し双方向通信可能に接続された情報処理装置とを用いた情報処理方法に係る。
【００２８】
そして、第５の発明に係る情報処理方法は、上記ユーザによる車載端末の操作によって、該車載端末が、該操作時における車載端末の現在地である記憶地点の位置情報を上記情報処理装置に送信する第１送信ステップと、上記第１送信ステップにおいて送信された記憶地点の位置情報を受信した情報処理装置が、該位置情報を記憶する記憶ステップと、上記情報処理装置が、上記ユーザが車から降車したことを検出したときに、上記記憶ステップにおいて記憶した記憶地点の位置情報、又は上記ユーザが車から降車した降車地点から上記記憶地点までの経路情報を上記携帯端末に送信する第２送信ステップと、上記第２送信ステップにおいて送信された情報を受信した携帯端末が、該受信した情報に基づいて、上記降車地点から記憶地点までの経路誘導を行う経路誘導ステップとを有するものとする。この第５の発明によると、上記第１の発明と同様の作用効果が得られる。
【００２９】
この第５の発明においては、車載端末が、車の経路誘導を行う第２の経路誘導ステップを有するようにし、この第２の経路誘導ステップを、第１送信ステップにおいて位置情報を送信する記憶地点としての目的施設を経由して、上記ユーザが車から降車する降車地点としての駐車場に至るまでの経路誘導を行うステップとしてもよい。
【００３０】
こうすることで、車載端末による経路誘導によって、ユーザは、車載端末の操作を行う目的施設（記憶地点）に到達した後に、車を駐車するための駐車場（降車地点）に到達するようになる。
【００３１】
このように、車載端末が、車を駐車するための駐車場に直接到達するように経路誘導を行うのではなく、駐車場に到達する前に、ユーザの最終的な目的地である目的施設に到達するように経路誘導を行うことで、上記ユーザは、その目的施設の位置情報の送信操作を行うことが可能になる。こうして、ユーザの端末操作をより一層容易にさせることが可能になる。
【００３２】
尚、車載端末が車の経路誘導を行う第２の経路誘導ステップにおいては、情報処理装置が経路を設定して、これを車載端末に提供するようにしてもよいし、車載端末が経路を設定して、これに基づいて経路誘導をするようにしてもよい。
【００３３】
また、第５の発明においては、第１送信ステップにおいて車載端末が記憶地点の位置情報を送信した後に、上記車載端末が、上記記憶地点周辺の駐車場に関する情報をユーザに提示する、又は上記記憶地点から所定の駐車場までの経路誘導を行うステップを有するようにしてもよい。
【００３４】
これは、例えば車を駐車する駐車場が予め決定されていないとき等に、特に有効であり、ユーザによる車載端末の操作によって記憶地点（目的施設）の位置情報を情報処理装置に送信したときには、その記憶地点周辺（目的施設周辺）の駐車場に関する情報がユーザに提示される。尚、記憶地点（目的施設）の位置情報を情報処理装置に送信したときには、駐車場に関する情報を自動的に提示するようにしてもよいし、ユーザが車載端末の所定操作をさらに行った場合にのみ、駐車場に関する情報の提示を行うようにしてもよい。
【００３５】
ここで、目的施設周辺の駐車場に関する情報は、情報処理装置から車載端末に提供するようにすればよい。また、車載端末が、上記駐車場に関する情報を記憶しておくようにして、ユーザによる操作によって記憶地点が特定されたときには、上記車載端末が、記憶している情報の中から、上記記憶地点周辺の駐車場を選び出して、これをユーザに提示するようにしてもよい。
【００３６】
こうしてユーザは、駐車場に関する情報が得られて、所望の駐車場に車を駐車させることができる。
【００３７】
また、記憶地点（目的施設）の位置情報を情報処理装置に送信したときには、車載端末によって、所定の駐車場（この所定の駐車場は、例えば提示された目的施設周辺の駐車場の中から、ユーザが選択した駐車場としてもよい）までの経路誘導が行われる。これによりユーザは、その駐車場まで容易に到達することができる。尚、ここでの経路誘導は、記憶地点（目的施設）の位置情報を情報処理装置に送信したときには、ユーザによる車載端末の操作無しに自動的に行うようにしてもよいし、ユーザが車載端末の所定操作をさらに行った場合にのみ行うようにしてもよい。
【００３８】
このように、車を駐車する駐車場が決定されていなくても、ユーザは、目的施設に到達したときには、その目的施設周辺の駐車場に容易に車を駐車させることが可能になり、ユーザの利便性がさらに向上する。
【００３９】
さらに、第５の発明においては、第１送信ステップにおいて車載端末が記憶地点の位置情報を送信した後に、上記車載端末が、車と上記記憶地点との離間距離を、該車の移動に伴いユーザに報知するステップを有するようにしてもよい。
【００４０】
すなわち、記憶地点としての目的施設に車で到達した後には、ユーザは、その目的施設から降車地点としての駐車場まで車で移動をすることとなり、駐車場に車を駐車した後には、ユーザは、その駐車場から目的施設までは徒歩で移動することとなる。このため、目的施設から駐車場までの距離は、徒歩で移動可能な程度の距離でなければならない。
【００４１】
そこで、車載端末から情報処理装置に、記憶地点の位置情報を送信したときには、車載端末が、車と記憶地点との離間距離を、車の移動に伴いユーザに報知することにより、ユーザの注意が喚起されて、徒歩で目的施設に戻ることが困難な程離れた駐車場まで移動してしまうことを未然に防止可能になる。
【００４２】
尚、車載端末は、車と記憶地点との離間距離が所定距離（例えば、徒歩での移動が困難となる距離）以上となったときには、ユーザに対する警告を行うようにしてもよい。
【００４３】
また、上記離間距離の演算は、車載端末が行ってもよいし、情報処理装置が行ってもよい。
【００４４】
第６の発明に係る情報処理方法は、ユーザによる携帯端末の操作によって、該携帯端末が、該操作時における車載端末の現在地である記憶地点の位置情報を情報処理装置に送信する第１送信ステップと、上記第１送信ステップにおいて送信された記憶地点の位置情報を受信した情報処理装置が、該位置情報を記憶する記憶ステップと、上記情報処理装置が、上記ユーザが車に乗車したことを検出したときに、上記記憶ステップにおいて記憶した記憶地点の位置情報、又は上記ユーザが車に乗車した乗車地点から上記記憶地点までの経路情報を上記車載端末に送信する第２送信ステップと、上記第２送信ステップにおいて送信された情報を受信した車載端末が、該受信した情報に基づいて、上記乗車地点から記憶地点までの経路誘導を行う経路誘導ステップとを有するものとする。この第６の発明によると、上記第２の発明と同様の作用効果が得られる。
【００４５】
第６の発明においては、第１送信ステップにおいて携帯端末が記憶地点の位置情報を送信した後に、上記携帯端末が、上記記憶地点周辺の駐車場に関する情報をユーザに提示する、又は上記記憶地点から所定の駐車場までの経路誘導を行うステップを有するようにしてもよい。
【００４６】
これは、例えばユーザが現在地から車を駐車している駐車場までの経路が判らないとき等に、特に有効である。すなわち、ユーザによる携帯端末の操作によって記憶地点（目的施設）の位置情報を情報処理装置に送信したときには、その目的施設周辺の駐車場に関する情報がユーザに提示される。この目的施設周辺の駐車場に関する情報は、情報処理装置から携帯端末に提供するようにしてもよいし、携帯端末が、上記駐車場に関する情報を記憶しておくようにしてもよい。また、駐車場に関する情報の提示は、自動的に、又はユーザによる携帯端末の操作に応じて行うようにすればよい。こうしてユーザは、車を駐車している駐車場を容易に確認可能になる。
【００４７】
また、記憶地点（目的施設）の位置情報を情報処理装置に送信したときには、携帯端末によって、所定の駐車場（車を駐車している駐車場）までの経路誘導が行われる。これによりユーザはその駐車場まで容易に到達することができる。
【００４８】
第７の発明は、ユーザに係る車に搭載されかつ、該ユーザが携帯する携帯端末に通信回線を介して接続された車載端末に係る。
【００４９】
そして、第７の発明に係る車載端末は、上記ユーザによる操作によって、該操作時における現在地を記憶地点として、その位置情報を記憶する記憶手段と、上記ユーザが車から降車したことを検出する降車検出手段と、上記降車検出手段が上記ユーザが車から降車したことを検出したときには、上記記憶手段によって記憶されている記憶地点の位置情報、又は上記ユーザが車から降車した降車地点から上記記憶地点までの経路情報を、上記携帯端末に上記通信回線を介して送信する情報送信手段とを備えるものとする。これにより、第１の発明と同様の作用効果が得られる。
【００５０】
第８の発明は、ユーザに係る車に搭載された車載端末に通信回線を介して接続された、上記ユーザが携帯する携帯端末に係る。
【００５１】
そして、第８の発明に係る携帯端末は、上記ユーザによる操作によって、該操作時における現在地を記憶地点として、その位置情報を記憶する記憶手段と、上記ユーザが車に乗車したことを検出する乗車検出手段と、上記乗車検出手段が上記ユーザが車に乗車したことを検出したときには、上記記憶手段によって記憶されている記憶地点の位置情報、又は上記ユーザが車に乗車した乗車地点から上記記憶地点までの経路情報を、上記車載端末に上記通信回線を介して送信する情報送信手段とを備えるものとする。これにより、第２の発明と同様の作用効果が得られる。
【００５２】
【発明の効果】
以上説明したように、本発明における情報処理装置、情報処理プログラム、情報処理方法、車載端末及び携帯端末によれば、情報処理装置又は車載端末が、記憶地点（目的施設）の位置情報を一旦記憶すると共に、この記憶地点の位置情報又は記憶地点までの経路情報を携帯端末に送信することにより、ユーザは、車で目的施設に到達した時に車載端末を操作すれば、車から降車した後に携帯端末の操作を行わなくても、その携帯端末によって、車から降車した降車地点から目的施設まで経路誘導されるようになる。こうして、端末の操作が簡略化して、ユーザの利便性を向上させることができる。
【００５３】
また逆に、情報処理装置又は携帯端末が、記憶地点（目的施設）の位置情報を一旦記憶すると共に、この記憶地点の位置情報又は記憶地点までの経路情報を車載端末に送信することにより、ユーザは、目的施設に到達した時に携帯端末を操作することだけで、車に乗車した後に車載端末の操作を行わなくても、車に乗車した乗車地点から目的施設まで車載端末によって経路誘導されるようになる。こうして、端末の操作が簡略化して、ユーザの利便性を向上させることができる。
【００５４】
【発明の実施の形態】
以下、本発明の実施形態を図面に基いて説明する。
【００５５】
＜第１実施形態＞
図１は、本発明の情報処理方法に係るシステム１を示しており、本システム１は、サーバ（情報処理装置）２１が設置された情報センタ２と、携帯端末４及び車載端末３１とが、双方向通信可能な通信回線（インターネット５及び無線通信回線）を介して互いに接続されて構成されている。
【００５６】
上記情報センタ２は、上記サーバ２１とデータベース（ＤＢ）２２とから構成されている。このＤＢ２２には、地図情報や、例えばお店や美術館等の施設に関する情報等、各種データが格納されている。
【００５７】
また、上記ＤＢ２２には、携帯端末４のユーザに係る情報（後述するように、車載端末３１又は携帯端末４から送信された地点位置情報）等が、当該ユーザに予め付与されているユーザＩＤと対応付けられた状態で格納されるように構成されている。
【００５８】
そして、上記サーバ２１は、その動作中に必要に応じて、一般的な手法により、上記ＤＢ２２にアクセスすることができる。
【００５９】
上記携帯端末４は、本システム１を利用するユーザが携帯するものであり、本実施形態では携帯電話とする。尚、本システム１で利用可能な携帯端末４は携帯電話に限らず、少なくともユーザがユーザが携帯可能な端末機器であればよく、例えばＰＤＡ等の情報端末機器であってもよい。
【００６０】
上記車載端末３１は、上記ユーザに係る車３に搭載されるものであり、後述するように、車３の経路誘導を行ういわゆるナビゲーション装置としての機能を有している。
【００６１】
上記サーバ２１、携帯端末４、及び車載端末３１はそれぞれ、詳細な図示は省略するが、少なくとも、液晶表示器等からなる表示部、キーボード等のキースイッチや、マウス等のポインティング・デバイス等からなる入力部、各種の処理結果やプログラム等を記憶するＲＡＭやハードディスク等からなる記憶部、外部の装置と通信回線を介して通信するための通信部（携帯端末及び車載端末３１では、無線通信部）、及びＣＰＵ（中央演算処理装置）を備えている。このＣＰＵは、記憶部に記憶したプログラムに従って装置全体を制御する。また、表示部及び入力部は、後述するように、ユーザに対していわゆるマン・マシンインタフェースを提供する。
【００６２】
また、上記車載端末３１はさらに、車３の現在位置を検出するＧＰＳ（ＧｌｏｂａｌＰｏｓｉｔｉｏｎｉｎｇ　Ｓｙｓｔｅｍ）アンテナ（図示省略）を備えていて、ＧＰＳを利用した車３の現在地の検出を行うことが可能である。これにより、上記車載端末３１は、ユーザの操作により目的地が設定されるとその目的地までの経路を設定し、その設定した経路に基づいて車３の経路誘導を行うように構成されている。
【００６３】
また、サーバ２１、携帯端末４及び車載端末３１はそれぞれ、インターネット通信を行うことが可能な一般的な通信プロトコルのソフトウエア（ソフトウエアプログラム）、並びに、そのソフトウエアに従ってインターネット５を介してデータを送受信するインターネットブラウザ機能及びメーラ機能、並びにブラウザを描画する一般的なソフトウエアを有する。
【００６４】
上記の構成において、サーバ２１と、携帯端末４又は車載端末３１とは、後述するように、各種の情報を送受信すべく、インターネット５を介して一般的な通信手法に従って、双方向通信を行うことができる。このとき、携帯端末４及び車載端末３１は、基地局４１を介して公衆無線電話回線等も使用される。これらの通信手段自体には一般的な構成を採用するものとし、本実施形態における詳細な説明は省略する。
【００６５】
そして、上記の各ソフトウエアがＣＰＵによって適宜実行されることにより、携帯端末４又は車載端末３１がインターネット５を介してサーバ２１に接続された（ログインした）状態において、いわゆるサーバ・クライアント環境が形成される。こうして、携帯端末４又は車載端末３１の表示部には、各種画面の表示等によるマン・マシンインタフェースが提供される。この各表示画面において携帯端末４又は車載端末３１による選択操作又は入力操作を行うことにより、携帯端末４又は車載端末３１のユーザは所望する情報等を入手したりすることができる。こうした情報の１つには、サーバ２１において設定された経路情報があり、上記携帯端末４又は車載端末３１は、上記サーバ２１から提供された経路情報に基づいて、経路誘導を行うように構成されている。つまり、上記車載端末３１は、自らが設定した経路のみならず、上記サーバ２１において設定された経路情報に基づく経路誘導も可能に構成されている。
【００６６】
次に、本発明の第１実施形態に係る情報処理方法に関して、サーバ２１、携帯端末４及び車載端末３１において実行されるソフトウエア（プログラム）について、図２に示すフローチャートを参照しながら説明する。尚、サーバ２１において実行されるプログラムは、例えばＣＤ−ＲＯＭ等の記録媒体（図示省略）に記録されることもあり、この場合は、上記サーバ２１が記録媒体に記録されたプログラムを読み込むことによって、このサーバ２１において後述する各種の処理が実行されることとなる。
【００６７】
この情報処理方法は、図３に示すように、目的施設Ｐ１に車３で到達したユーザが、その施設Ｐ１とは離れた駐車場Ｐａに車３を駐車するために移動をし（同図の実線参照）、その後その駐車場Ｐａから上記目的施設Ｐ１まで徒歩で戻る（同図の破線参照）場合に係る。
【００６８】
図２におけるフローチャートにおいて、ユーザが車３に乗車している最中においては、サーバ２１は、通常の情報センタ処理を実行する（ステップＳ１１）。一方、車載端末３１は、通常の車載端末処理を実行する（ステップＳ３１）。これにより、車載端末３１からの要求に応じて、サーバ２１から車載端末３１に各種の情報（例えば渋滞情報等）が提供される。
【００６９】
また、上記車載端末３１は、ユーザの設定に応じて経路誘導処理を実行する。具体的には、ユーザが所望の目的地（ここでは、目的施設Ｐ１）を指定操作することによって、上記車載端末３１は、その施設Ｐ１までの経路を設定すると共に、この設定した経路に基づいて、地図表示等による経路誘導を行う。
【００７０】
このとき、上記施設Ｐ１に関連付けられた駐車場Ｐａが存在するときには、車載端末３１は、上記施設Ｐ１を経由して上記駐車場Ｐａに至る経路を設定してもよい。こうすることで、ユーザは、後述する地点設定操作を、施設Ｐ１に到達したときに容易に行い得るようになる。尚、上記目的施設Ｐ１に行くことがユーザにとって二回目、又はそれ以上であるときには、ユーザは、上記施設Ｐ１及びその関連駐車場Ｐａのそれぞれの位置を認識していると考えられることから、車載端末３１は、上記施設Ｐ１を経由せずに駐車場Ｐａに直接至る経路を設定してもよい。尚、車載端末３１における経路誘導処理は、サーバ２１が制御するようにしてもよい。つまり、サーバ２１が、車載端末３１の操作によって指定された目的地の情報を受けて、経路を設定すると共に、その設定した経路を上記車載端末３１に送信するようにしてもよい。
【００７１】
こうして、車３が目的施設Ｐ１に到達したときには、ユーザは車載端末３１において地点設定操作を行う。この地点設定操作とは、ユーザが車３を駐車場Ｐａに駐車した後に、徒歩で戻ってくる地点を設定するための操作である。車載端末３１は、ステップＳ３２で、地点設定操作があったか否かを判定して、操作があったのＹＥＳのときにはステップＳ３３に移行する一方、操作がないのＮＯのときにはリターンする。
【００７２】
上記ステップＳ３３では、車載端末３１は、設定信号と、その時の現在地の位置情報（地点位置情報）とをサーバ２１に送信する。
【００７３】
一方、サーバ２１は、ステップＳ１２において、設定信号を受信したか否かを判定し、受信したのＹＥＳのときにはステップＳ１３において、受信した地点位置情報をユーザＩＤと対応付けた状態でＤＢ２２に記憶する（記憶手段６１）。尚、ここで記憶した情報は、所定時間が経過した後に消去されるようにすればよい。
【００７４】
続くステップＳ１４で、サーバ２１は、車載端末３１からの要求に応じて、その現在地周辺の駐車場情報を、上記車載端末３１に提供する。
【００７５】
上記駐車場情報の提供を受けた車載端末３１は、ステップＳ３４において、その駐車場情報を表示部に表示する。このとき、駐車場が複数存在するときには、ユーザに選択操作を行わせるようにすればよい。また、車載端末３１は、ユーザの操作に応じて、現在地から駐車場Ｐａ（例えば、ユーザが選択した駐車場）までの経路誘導処理を実行する。尚、サーバ２１から車載端末３１への駐車場情報の提供は、車載端末３１からの要求に拘わらず、地点位置情報を受信したときには自動的に、サーバ２１から車載端末３１へ提供するようにしてもよい。
【００７６】
また、駐車場情報は、サーバ２１から車載端末３１に提供するのではなく、車載端末３１が予め記憶しておくようにしてもよい。
【００７７】
さらに、このときの車載端末３１における経路誘導処理も、上述したように、サーバ２１が制御するようにしてもよい。
【００７８】
こうしてユーザは、上記施設Ｐ１から駐車場Ｐａまで車で移動することとなるが、この移動の最中には、ステップＳ３５において、車載端末３１は、車３と施設Ｐ１との離間距離を、車３の移動に伴い表示部に逐次表示する。また、上記離間距離が所定距離以上になったときには、ユーザに対する警告を実行する。例えば警告表示を行ったり、警告音を発したりすればよい。これは、車３を駐車場Ｐａに駐車した後に、ユーザは、その駐車場Ｐａから施設Ｐ１まで徒歩で移動をしなければならないためであり、施設Ｐ１から余りに遠く離れてしまうと徒歩で施設Ｐ１に戻ることが困難になってしまうためである。そこで、車載端末３１において地点設定操作を行った後には、車３と施設Ｐ１との離間距離を、車３の移動に伴いユーザに報知すると共に、必要に応じてユーザに対する警告を行うことで、ユーザの注意が喚起されて、徒歩で目的施設Ｐ１に戻ることのできない駐車場Ｐａまで移動してしまうことが未然に防止可能になる。
【００７９】
尚、車３と施設Ｐ１との離間距離は、車載端末３１において演算してもよいが、サーバ２１において演算してもよい。この場合は、車載端末３１からサーバ２１に、車載端末３１の現在地の情報を逐次送信すると共に、サーバ２１において車３と施設Ｐ１との離間距離を演算し、その演算した離間距離をサーバ２１から車載端末３１に提供する。こうすることで、上記車載端末３１は、上記離間距離を表示部に表示することが可能になる。
【００８０】
また、上記離間距離に代えて、施設Ｐ１まで、徒歩で移動する場合の距離、及び徒歩で移動する場合の移動時間を、車載端末３１の表示部に表示するようにしてもよい。
【００８１】
そして、上記車載端末３１は、続くステップＳ３６で、ユーザが車３から降車したか否か（降車状態を検出したか否か）を判定する。つまり、車３が駐車場Ｐａに到達して、ユーザが車３から降車したときには、その判定はＹＥＳとなる。
【００８２】
この降車状態の判定は、種々の方法が考えられる。例えば一例として車３のイグニッションスイッチのオン・オフに基づいて判定してもよい。つまり、イグニッションスイッチがオフになったときに、ユーザが車３から降車したと判定してもよい。また、降車判定は、ユーザが車載端末３１を操作することに基づいて行ってもよい。具体的にはユーザが車載端末３１において所定の降車操作を行ったときにユーザが車３から降車したと判定してもよい。さらに、降車判定を行うときには、上記イグニッションオフ又はユーザの降車操作に加えて、例えば車３の現在地が駐車場位置であることを、ユーザが降車したと判定する際の前提条件としてもよい。
【００８３】
そして、上記ステップＳ３６でＮＯのときには、このステップＳ３６を繰り返す一方、ＹＥＳのときは、ステップＳ３７において、車載端末３１は、降車信号をサーバ２１に送信する。
【００８４】
上記サーバ２１は、ステップＳ１５で降車信号を受信したか否かを判定し（降車検出手段６２）、受信したときにはステップＳ１６に移行する。受信していないときはステップＳ１７に移行する。
【００８５】
上記ステップＳ１６では、ＤＢ２２に記憶している地点位置情報を読み出し、これを携帯端末４に送信する（情報送信手段６３）。
【００８６】
上記携帯端末４は、ステップＳ２１で、サーバ２１から送信された地点位置情報を受信したか否かを判定し、受信したのＹＥＳのときにはステップＳ２２で、その地点を目的地とした経路誘導を行う。つまり、携帯端末４は、ユーザが車３から降車した地点である駐車場Ｐａから上記目的施設Ｐ１までの経路を設定し、その設定した経路に基づいて経路誘導を行う。具体的には、上記経路を示す地図を表示部に表示することが行われる。
【００８７】
尚、ステップＳ１６では、サーバ２１は駐車場Ｐａから目的施設Ｐ１までの経路を設定し、これを携帯端末４に提供するようにしてもよい。この場合、携帯端末４は、受信した経路情報に基づいて、経路誘導を行うようにすればよい。
【００８８】
また、駐車場Ｐａから目的施設Ｐ１までの経路は、施設Ｐ１から駐車場Ｐａまで上記車３で移動したときの経路と同じ経路に設定してもよいし、これとは異なる経路（歩行用であることを考慮して新たに設定した経路）としてもよい。
【００８９】
こうしてユーザは、携帯端末４によって経路誘導されて、車３を駐車した駐車場Ｐａから目的施設Ｐ１まで徒歩で戻ることとなる。
【００９０】
また、上記携帯端末４は、ステップＳ２３で、通常の携帯端末処理を実行する一方、サーバ２１は、ステップＳ１７で、通常の情報センタ処理を実行する。
【００９１】
このように、第１実施形態においては、車３で移動中のユーザが、所定の地点に到達した時に車載端末３１を操作すると、車載端末３１からサーバ２１に、その地点の位置情報が送信され、サーバ２１によって、その地点位置情報がＤＢ２２に記憶される。
【００９２】
そして、ＤＢ２２に記憶されている地点位置情報は、ユーザが車３から降車したときには、携帯端末４に送信され、これにより、上記携帯端末４によって、車３から降車した地点から上記地点位置情報に係る地点までの経路誘導が行われる。
【００９３】
こうして、ユーザは、車３で目的施設Ｐ１に到達した時に車載端末３１を操作することだけで、車３から降車した後に携帯端末４の操作を行わなくても、その目的施設Ｐ１まで経路誘導されるため、目的施設Ｐ１に車３で到達したユーザが、その施設Ｐ１とは離れた駐車場Ｐａに車３を駐車するために移動をし、その後その駐車場Ｐａから上記目的施設Ｐ１まで徒歩で戻る場合において、各端末３１，４の操作が簡略化され、ユーザの利便性を向上させることができる。
【００９４】
＜第２実施形態＞
図４は、本発明の第２実施形態に係る情報処理方法に関して、サーバ２１、携帯端末４及び車載端末３１において実行されるソフトウエア（プログラム）の処理手順を示すフローチャートである。尚、第２実施形態の情報処理方法に係るシステムは、上記第１実施形態のシステム１（図１参照）と同じであるため、その詳細な説明は省略する。
【００９５】
この第２実施形態に係る情報処理方法は、図５に示すように、目的施設Ｐ１に居るユーザが、その施設Ｐ１とは離れた駐車場Ｐａに車３を取りに徒歩で移動をし（同図の破線参照）、その後その駐車場Ｐａから上記目的施設Ｐ１まで車３で戻る（同図の実線参照）場合に係る。
【００９６】
図４におけるフローチャートにおいて、ユーザが車３に乗車していないときにおいては、サーバ２１は通常の情報センタ処理を実行する（ステップＳ４１）一方、携帯端末４１は通常の携帯端末処理を実行する（ステップＳ５１）。これにより、携帯端末４からの要求に応じて、サーバ２１から携帯端末４に各種の情報が提供される。
【００９７】
そして、ユーザは、目的施設Ｐ１に居る時に、携帯端末４において地点設定操作を行う。携帯端末４は、ステップＳ５２で地点設定操作があったか否かを判定して、操作があったのＹＥＳのときにはステップＳ５３に移行する一方、操作がないのＮＯのときには、リターンする。
【００９８】
上記ステップＳ５３では、携帯端末４は、設定信号とその時の現在地の位置情報（地点位置情報）とをサーバ２１に送信する。
【００９９】
一方、サーバ２１は、ステップＳ４２において設定信号を受信したか否かを判定し、受信していないのＮＯのときにはステップＳ４７に移行する。一方、受信したのＹＥＳのときには、ステップＳ４３において、受信した地点位置情報をユーザＩＤと対応付けた状態でＤＢ２２に記憶する（記憶手段６１）。尚、ここで記憶した情報は、所定時間が経過すれば消去される。続くステップＳ４４では、携帯端末４からの要求に応じて、周辺の駐車場情報を携帯端末４に提供する。
【０１００】
ここで、携帯端末４に提供する駐車場情報は、例えばそのユーザが車３を駐車している駐車場Ｐａの位置又はその駐車場までの経路の情報とすればよい。また、サーバ２１が、ユーザの車３を駐車している駐車場を特定できないときには、上記施設Ｐ１の周辺に存在する全ての駐車場の情報を携帯端末４に提供するようにしてもよい。尚、駐車場情報は、サーバ２１から携帯端末４に提供するのではなく、携帯端末４が予め記憶しておくようにしてもよい。
【０１０１】
上記駐車場情報の提供を受けた携帯端末４は、ステップＳ５４で、ユーザの操作に応じて車３を駐車している駐車場Ｐａまでの経路誘導処理を実行する。こうしてユーザは、携帯端末４の経路誘導によって、駐車場Ｐａまで徒歩で移動をして、そこに駐車している車３に乗車することとなる。尚、このときの携帯端末４における経路誘導処理は、サーバ２１が制御するようにしてもよい（つまり、サーバ２１が経路を設定し、これを携帯端末４に提供するようにしてもよい）。
【０１０２】
これに対し、上記車３に搭載されている車載端末３１は、ステップＳ６１で、ユーザが乗車したか否か（乗車状態を検出したか否か）を判定し、乗車状態を検出していないときにはステップＳ６１を繰り返す一方、乗車状態を検出したときにはステップＳ６２に移行する。この乗車状態の検出は、種々の方法が考えられ、どのような方法を採用してもよい。一例としてイグニッションスイッチのオン・オフに基づく方法が挙げられる。つまり、イグニッションスイッチがオンされたときに、ユーザが乗車したと判定するようにしてもよい。また、例えば、ユーザによる車載端末３１の操作に基づいて乗車状態を検出するようにしてもよい。
【０１０３】
続くステップＳ６２では、車載端末３１は、乗車信号をサーバ２１に送信する。
【０１０４】
一方、サーバ２１は、ステップＳ４５で乗車信号を受信したか否かを判定し（乗車検出手段６４）、受信していないのＮＯのときにはステップＳ４７に移行する一方、受信したのＹＥＳのときにはステップＳ４６に移行する。
【０１０５】
上記ステップＳ４６では、サーバ２１は、ＤＢ２２に記憶している地点位置情報を読み出し、これを車載端末３１に送信する（情報送信手段６３）。
【０１０６】
上記車載端末３１は、ステップＳ６３で、サーバ２１から送信された地点位置情報を受信したか否かを判定し、受信したのＹＥＳのときには、ステップＳ６４で、その地点を目的地とした経路誘導を実行する。つまり、車載端末３１は、ユーザの現在地である駐車場Ｐａから目的施設Ｐ１までの経路を設定し、その設定した経路に基づいて経路誘導を行う。
【０１０７】
尚、ステップＳ４６では、サーバ２１は、駐車場Ｐａから目的施設Ｐ１までの経路を設定し、これを車載端末３１に提供することによって行ってもよい。この場合、車載端末３１は、受信した経路情報に基づいて経路誘導を行うようにすればよい。
【０１０８】
また、駐車場Ｐａから目的施設Ｐ１までの経路は、施設Ｐ１から駐車場Ｐａまでユーザが徒歩で移動したときの経路と同じ経路に設定してもよいし、これとは異なる経路（車３で移動することを考慮して新たに設定した経路）としてもよい。
【０１０９】
上記車載端末３１はまた、ステップＳ６５で、通常の車載端末処理を実行する一方、サーバ２１は、ステップＳ４７で通常の情報センタ処理を実行する。
【０１１０】
こうしてユーザは、駐車場Ｐａから目的施設Ｐ１まで車３で戻ることとなるが、目的施設Ｐ１に戻るまでの間において、ユーザが、車載端末３１において上記施設Ｐ１とは異なる新たな目的地を設定する操作をしたときでも、上記施設Ｐ１を経由して、新たに設定した目的地に至る経路誘導が行われるようにするのがよい。
【０１１１】
このように、第２実施形態においては、車３から降車中のユーザが所定の地点に到達した時（所定の地点に居る時）に携帯端末４を操作すると、携帯端末４からサーバ２１に、その地点の位置情報が送信され、サーバ２１によって、その地点位置情報がＤＢ２２に記憶される。
【０１１２】
そして、ＤＢ２２に記憶されている地点位置情報は、ユーザが車３に乗車したときには車載端末３１に送信され、これにより、上記車載端末３１によって、車３に乗車した地点から上記地点位置情報に係る地点までの経路誘導が行われる。
【０１１３】
こうして、ユーザは施設Ｐ１の位置に居る時に携帯端末４を操作することだけで、車３に乗車した後に車載端末３１の操作を行わなくてもその目的施設Ｐ１まで経路誘導されるため、目的施設Ｐ１に居るユーザが、その施設Ｐ１とは離れた駐車場Ｐａに車３を取りに徒歩で移動をし、その後その駐車場Ｐａから上記目的施設Ｐ１まで車３で戻る場合において、各端末３１，４の操作が簡略化され、ユーザの利便性を向上させることができる。
【０１１４】
＜他の実施形態＞
尚、本発明は上記実施形態に限定されるものではなく、その他種々の実施形態を包含するものである。すなわち、上記実施形態では、サーバ２１、車載端末３１及び携帯端末４とからなるシステムを対象とした情報処理方法について説明したが、車載端末３１と携帯端末４とからなるシステムにおいても、本発明に係る情報処理方法が奏する作用効果と、同様の作用効果を奏することが可能である。
【０１１５】
つまり、第１実施形態では、車載端末３１からサーバ２１に地点位置情報を送信し、この地点位置情報をサーバ２１において記憶するようにしているが、これとは異なり、車載端末３１においてユーザが地点設定操作を行ったときには、この車載端末３１が上記地点位置情報を記憶するように構成する。そして、ユーザが車３から降車したときには、上記車載端末３１から携帯端末４に、記憶している地点位置情報又は経路情報を送信するように構成する。
【０１１６】
こうすることでも、ユーザは、車３で目的施設Ｐ１に到達した時に車載端末３１を操作することだけで、車３から降車した後に携帯端末４の操作を行わなくても、携帯端末４によってその目的施設Ｐ１まで経路誘導されるようになる。その結果、各端末３１，４の操作が簡略化され、ユーザの利便性を向上させることができる。
【０１１７】
また、第２実施形態では、携帯端末４からサーバ２１に地点位置情報を送信し、この地点位置情報をサーバ２１が記憶するようにしているが、これとは異なり、携帯端末４においてユーザが地点設定操作を行ったときには、この携帯端末４が上記地点位置情報を記憶するように構成する。そして、ユーザが車３に乗車したときには、上記携帯端末４から車載端末３１に、記憶している地点位置情報又は経路情報を送信するように構成する。
【０１１８】
こうすることで、ユーザは施設Ｐ１の位置に居る時に携帯端末４を操作することだけで、車３に乗車した後に車載端末３１の操作を行わなくても、車載端末３１によってその目的施設Ｐ１まで経路誘導されるようになる。その結果、各端末３１，４の操作が簡略化され、ユーザの利便性を向上させることができる。
【図面の簡単な説明】
【図１】本発明の実施形態に係るシステムの構成を示すブロック図である。
【図２】第１実施形態に係るサーバ、携帯端末及び車載端末における処理を示すフローチャートである。
【図３】第１実施形態に係る情報処理方法が適用される状況を例示する説明図である。
【図４】第２実施形態に係るサーバ、携帯端末及び車載端末における処理を示すフローチャートである。
【図５】第２実施形態に係る情報処理方法が適用される状況を例示する説明図である。
【符号の説明】
１　　　　　　　　　　　　システム
２１　　　　　　　　　　サーバ（情報処理装置）
２２　　　　　　　　　　データベース（ＤＢ）
３１　　　　　　　　　　車載端末
４　　　　　　　　　　　　携帯端末
５　　　　　　　　　　　　インターネット（通信回線）
５１　　　　　　　　　　基地局
６１　　　　　記憶手段
６２　　　　　降車検出手段
６３　　　　　情報送信手段
６４　　　　　乗車検出手段
【図１】
2004020304.tif 000003
【図２】
2004020304.tif 000004
【図３】
2004020304.tif 000005
【図４】
2004020304.tif 000006
【図５】
2004020304.tif 000007